(57)【要約】  テレビジョンコンテンツ項目、およびテレビジョンチャンネルの組から、テレビジョン視聴者が所望のテレビジョンコンテンツ項目、またはテレビジョンチャンネルを識別するための方法およびシステムが提供される。非侵入型インタフェースは、テレビジョン表示装置上で視聴者に対して提供される。テレビジョン視聴者は非侵入型インタフェースを用いて、所望のテレビジョンコンテンツ項目、またはテレビジョンチャンネルの識別を指示する削減されたテキスト検索入力を入力する。削減されたテキスト検索入力は、所望のテレビジョンコンテンツ項目、またはテレビジョンチャンネルに関する記述子の一つ以上の文字を含んでいる。テレビジョン視聴者が削減されたテキスト検索入力の各文字を入力する際、システムは検索入力に適合するテレビジョンコンテンツ項目、およびテレビジョンチャンネルの組から、テレビジョンコンテンツ項目、またはテレビジョンチャンネルのグループを認識する。テレビジョンコンテンツ項目、またはテレビジョンチャンネルのグループは、一つ以上の所定の基準に従って順序付けされる。システムは非侵入型インタフェース上に順序付けしたように、識別したグループの一つ以上のテレビジョンコンテンツ項目、またはテレビジョンチャンネルの識別を表示する。  【選択図】  図３
2008520121.tif 000002
【特許請求の範囲】
【請求項１】
テレビジョンコンテンツ項目、およびテレビジョンチャンネルの組から、テレビジョン視聴者が所望のテレビジョンコンテンツ項目、またはテレビジョンチャンネルを識別する方法であって、
（ａ）テレビジョン表示装置上に非侵入型インタフェースを提供し、
（ｂ）非侵入型インタフェースを使用中のテレビジョン視聴者から、所望のテレビジョンコンテンツ項目、またはテレビジョンチャンネルの識別を指示する削減されたテキスト検索入力を受け取り、前記削減されたテキスト検索入力が前記所望のテレビジョンコンテンツ項目、または前記テレビジョンチャンネルに関する記述子の一つ以上の文字を有し、
（ｃ）前記テレビジョン視聴者が前記削減されたテキスト検索入力の各文字を入力する際、前記検索入力に適合するテレビジョンコンテンツ項目、およびテレビジョンチャンネルの前記組から、コンテンツ項目、またはテレビジョンチャンネルのグループを動的に識別し、
（ｄ）一つ以上の所定の基準に従って、前記グループのテレビジョンコンテンツ項目、またはテレビジョンチャンネルを順序付けし、
（ｅ）前記非侵入型インタフェース上にステップ（ｄ）で順序付けしたように、ステップ（ｃ）で識別した前記グループの一つ以上の前記テレビジョンコンテンツ項目、またはテレビジョンチャンネルの識別を表示することを有する方法。
【請求項２】
さらに、視聴者から、ステップ（ｅ）で表示した前記一つ以上のテレビジョンコンテンツ項目、またはテレビジョンチャンネルの一つの選択と、前記選択に対する所望の動作を受け取ることを有する請求項１記載の方法。
【請求項３】
さらに、前記動作を行うことを有し、前記動作がテレビジョンチャンネルに合わせること、またはコンテンツ源から選択したコンテンツ項目を読み込むことを有する請求項２記載の方法。
【請求項４】
前記コンテンツ源が、ビデオオンデマンドシステム、ＩＰＴＶシステム、または個人用ビデオ録画機を有する請求項３記載の方法。
【請求項５】
さらに、前記動作を行うことを有し、前記動作が、選択したコンテンツ項目を録画すること、選択したコンテンツ項目がいつ放送されるかを視聴者に注意喚起すること、関連のコンテンツ項目を見つけること、または選択したコンテンツ項目をコンテンツ源から読み込むことを有する請求項２記載の方法。
【請求項６】
さらに、視聴者から、ステップ（ｄ）で表示した前記一つ以上のテレビジョンコンテンツ項目、またはテレビジョンチャンネルの一つの選択を受け取り、選択したコンテンツ項目を自動的に取り出し描画するか、または所定のテレビジョンチャンネルに合わせることを有する請求項１記載の方法。
【請求項７】
さらに、視聴者が所望のコンテンツ項目を見つけることができないとき、別のコンテンツ項目を識別して視聴者に提供することを有する請求項１記載の方法。
【請求項８】
さらに、前記非侵入型インタフェース上に視覚的合図を表示し、即時の視聴および遅れた視聴用のコンテンツの利用可能性を視聴者に通知することを有する請求項１記載の方法。
【請求項９】
前記テレビジョン表示装置上で現在再生中のコンテンツ上に、前記非侵入型インタフェースを重ね合わせる請求項１記載の方法。
【請求項１０】
前記非侵入型インタフェースがその透光性の部分を少なくとも有し、非侵入型インタフェースを介して視聴者に、前記テレビジョン表示装置上で現在再生中の前記コンテンツを少なくとも部分的に視認可能にする請求項９記載の方法。
【請求項１１】
前記非侵入型インタフェースが、前記削減されたテキスト検索入力の入力用フィールドと、ステップ（ｃ）で識別した前記グループの所定の数の前記テレビジョンコンテンツ項目、またはテレビジョンチャンネルを表示するためのウィンドウを有する請求項１記載の方法。
【請求項１２】
さらに、前記テレビジョンコンテンツ項目の発信源またはカテゴリに従って、ステップ（ｃ）で識別した前記テレビジョンコンテンツ項目をフィルタ処理し、前記非侵入型インタフェース内で選択したテレビジョンコンテンツ項目を表示することを有する請求項１記載の方法。
【請求項１３】
さらに、前記非侵入型インタフェースを介して、前記選択したテレビジョンコンテンツ項目、またはテレビジョンチャンネルに関する情報を視聴者に提供することを有する請求項１記載の方法。
【請求項１４】
時間的関連性、人気、または視聴者の個人的嗜好に基づいて、前記テレビジョンコンテンツ項目、またはテレビジョンチャンネルを順序付けした請求項１記載の方法。
【請求項１５】
テレビジョン受像機内に含まれるか、またはそれに隣接する機器内に実装した請求項１記載の方法。
【請求項１６】
テレビジョン受像機内に含まれるか、それに隣接する機器と通信し、前記視聴者から離れたサーバシステムによってステップ（ｃ）を行う請求項１記載の方法。
【請求項１７】
さらに、前記視聴者が指示したとき、前記追加のコンテンツ項目、またはテレビジョンチャンネルの識別を表示することによって、視聴者がステップ（ｃ）で識別した前記グループの追加のコンテンツ項目、またはテレビジョンチャンネルをスクロール可能にすることを有する請求項１記載の方法。
【請求項１８】
前記ユーザが、二つ以上の文字をオーバロードしたキーを備えたリモート制御機器上で、前記削減されたテキスト検索入力を入力する請求項１記載の方法。
【請求項１９】
テレビジョンコンテンツ項目、およびテレビジョンチャンネルの組から、テレビジョン視聴者が所望のテレビジョンコンテンツ項目、またはテレビジョンチャンネルを識別するためのシステムであって、
テレビジョン表示装置上に非侵入型インタフェースを提供し、非侵入型インタフェースを使用中のテレビジョン視聴者から、所望のテレビジョンコンテンツ項目、またはテレビジョンチャンネルの識別を指示する削減されたテキスト検索入力を受け取り、前記削減されたテキスト検索入力が前記所望のテレビジョンコンテンツ項目、または前記テレビジョンチャンネルに関する記述子の一つ以上の文字を有する機器と、
前記機器と通信し、前記テレビジョン視聴者が前記削減されたテキスト検索入力の各文字を入力する際、前記検索入力に適合するテレビジョンコンテンツ項目、およびテレビジョンチャンネルの前記組から、コンテンツ項目、またはテレビジョンチャンネルのグループを動的に識別する装置を有し、
前記機器または前記装置が一つ以上の所定の基準に従って、前記グループのテレビジョンコンテンツ項目、またはテレビジョンチャンネルを順序付けし、
前記機器が前記非侵入型インタフェース上に順序付けしたように、前記グループの一つ以上の前記テレビジョンコンテンツ項目、またはテレビジョンチャンネルの識別を表示するシステム。
【請求項２０】
機器が視聴者から、インタフェース内に表示した前記一つ以上のテレビジョンコンテンツ項目、またはテレビジョンチャンネルの一つの選択と、前記選択に対する所望の動作を受け取る請求項１９記載のシステム。
【請求項２１】
前記機器が前記動作を行い、前記動作がテレビジョンチャンネルに合わせることと、選択したコンテンツ項目をコンテンツ源から読み込むことを有する請求項２０記載のシステム。
【請求項２２】
前記コンテンツ源が、ビデオオンデマンドシステム、ＩＰＴＶシステム、または個人用ビデオ録画機を有する請求項２１記載のシステム。
【請求項２３】
前記機器が前記動作を行い、前記動作が、選択したコンテンツ項目を録画すること、選択したコンテンツ項目がいつ放送されるかを視聴者に注意喚起すること、関連のコンテンツ項目を見つけること、または選択したコンテンツ項目をコンテンツ源から読み込むことを有する請求項２０記載のシステム。
【請求項２４】
機器が視聴者から、ステップ（ｄ）で表示した前記一つ以上のテレビジョンコンテンツ項目、またはテレビジョンチャンネルの一つの選択を受け取り、選択したコンテンツ項目を自動的に取り出し描画するか、または所定のテレビジョンチャンネルに合わせる請求項１９記載のシステム。
【請求項２５】
視聴者が所望のコンテンツ項目を見つけることができないとき、装置または機器が別のコンテンツ項目を識別して視聴者に提供する請求項１９記載のシステム。
【請求項２６】
機器が前記非侵入型インタフェース上に視覚的合図を表示し、即時の視聴および遅れた視聴用のコンテンツの利用可能性を視聴者に通知する請求項１９記載のシステム。
【請求項２７】
前記テレビジョン表示装置上で現在再生中のコンテンツ上に、前記非侵入型インタフェースを重ね合わせる請求項１９記載のシステム。
【請求項２８】
前記非侵入型インタフェースがその透光性の部分を少なくとも有し、非侵入型インタフェースを介して視聴者に、前記テレビジョン表示装置上で現在再生中の前記コンテンツを少なくとも部分的に視認可能にする請求項２７記載のシステム。
【請求項２９】
前記非侵入型インタフェースが、前記削減されたテキスト検索入力の入力用フィールドと、識別したグループの所定の数の前記テレビジョンコンテンツ項目、またはテレビジョンチャンネルを表示するためのウィンドウを有する請求項１９記載のシステム。
【請求項３０】
機器または装置が、前記テレビジョンコンテンツ項目の発信源またはカテゴリに従って、前記グループの前記テレビジョンコンテンツ項目をフィルタ処理し、前記非侵入型インタフェース内で選択したテレビジョンコンテンツ項目を表示する請求項１９記載のシステム。
【請求項３１】
機器がさらに前記非侵入型インタフェースを介して、前記選択したテレビジョンコンテンツ項目、またはテレビジョンチャンネルに関する情報を視聴者に提供する請求項１９記載のシステム。
【請求項３２】
時間的関連性、人気、または視聴者の個人的嗜好に基づいて、前記テレビジョンコンテンツ項目、またはテレビジョンチャンネルを順序付けした請求項１９記載のシステム。
【請求項３３】
前記機器が、テレビジョン受像機内に含まれるか、またはそれに隣接する請求項１９記載のシステム。
【請求項３４】
前記装置が前記視聴者から離れ、ネットワーク上で前記機器と通信するサーバシステムである請求項１９記載のシステム。
【請求項３５】
前記視聴者が指示したとき、前記追加のコンテンツ項目、またはテレビジョンチャンネルの識別を表示することによって、機器が視聴者に対して前記グループの追加のコンテンツ項目、またはテレビジョンチャンネルをスクロール可能にする請求項１９記載のシステム。
【請求項３６】
前記ユーザが、二つ以上の文字をオーバロードしたキーを備えたリモート制御機器上で、前記削減されたテキスト検索入力を入力する請求項１９記載のシステム。
【請求項３７】
サーバシステムと、
ネットワークと、
前記ネットワークを介して前記サーバシステムと通信する複数のテレビジョンシステムを有するテレビジョンコンテンツ、およびチャンネル検索システムであって、各テレビジョンシステムがテレビジョン視聴者によって操作可能であり、テレビジョンチャンネル、およびコンテンツ項目の組から所望のテレビジョンチャンネル、またはコンテンツ項目を選択および視聴し、各テレビジョンシステムがテレビジョン表示装置上の非侵入型インタフェースと、非侵入型インタフェースを使用中のテレビジョン視聴者から、所望のテレビジョンコンテンツ項目、またはテレビジョンチャンネルの識別を指示する削減されたテキスト検索入力を受け取るためのテキスト入力機器を有し、前記削減されたテキスト検索入力が前記所望のテレビジョンコンテンツ項目、または前記テレビジョンチャンネルに関する記述子の一つ以上の文字を有し、前記テレビジョン視聴者が前記削減されたテキスト検索入力の各文字を入力する際、前記テレビジョンシステムが前記サーバに前記削減されたテキスト検索入力を送信し、
テレビジョンシステムから前記サーバが受け取った削減されたテキスト検索入力の各々に対して、前記サーバが前記検索入力に適合するテレビジョンコンテンツ項目、およびテレビジョンチャンネルの前記組から、コンテンツ項目、またはテレビジョンチャンネルのグループを動的に識別し、前記テレビジョンシステムにコンテンツ項目、またはチャンネルの前記グループの識別を送信し、前記テレビジョンシステムが前記非侵入型インタフェース上に一つ以上の所定の基準によって決定した順序で、前記グループの一つ以上の前記テレビジョンコンテンツ項目、またはテレビジョンチャンネルの識別を表示するシステム。
【発明の詳細な説明】
【技術分野】
【０００１】
この発明は一般にテレビジョンコンテンツ、およびチャンネル用の検索を行うための方法およびシステムに関し、より詳細には、非侵入型テレビジョンインタフェースと削減されたテキスト入力を用いて、テレビジョンコンテンツ、およびチャンネル用の検索を行うための方法およびシステムに関する。
【背景技術】
【０００２】
関連出願：  この発明は、この出願の譲受人に割り当てた次の米国仮特許出願に基づき、それらから優先権を主張し、それらは各々全体としてここで参照によって組み込まれる。（１）米国特許出願番号第６０／６７６，７６８号、出願日２００５年５月２日、発明の名称「即時のコンテンツ利用可能性、および所望のコンテンツ描画用の削減されたテキスト入力を用いて検索するための非侵入型テレビジョンインタフェース」、および（２）米国特許出願番号第６０／６２６，２７４号、出願日２００４年１１月９日、発明の名称「テレビションシステムおよび関連の方法」。
【０００３】
初期のテレビジョンシステム内でテレビジョンコンテンツを見つけるためのユーザインタフェースは、比較的簡単であった。テレビジョン視聴者は、テレビジョン上またはリモート制御機器上でチャンネル番号を入力したり、チャンネル操作（上下）ボタンをクリックすることによって、所望のコンテンツを位置確認するためにチャンネルを合わせることができた。ユーザインタフェースは時間が経つにつれて、テレビジョンコンテンツの閲覧および検索に現在一般に用いられるインタラクティブＥＰＧ（電子番組ガイド）などのより複雑で精巧なインタフェースに発展している。
【発明の開示】
【発明が解決しようとする課題】
【０００４】
テレビジョン視聴者のコンテンツ選択肢は、最近著しく拡大している。コンテンツ選択肢の増大は、チャンネルの拡大、コンテンツの分離、およびコンテンツ源のオプションの増加から主に生じている。このコンテンツ選択肢の拡大によって、ユーザが所望のチャンネル、およびコンテンツを素早く容易に見つけることを補助する際、既存のユーザインタフェース、特にＥＰＧは不適切であることがわかってきている。
【０００５】
例えば、衛星およびケーブルネットワークの加入者などのテレビジョン視聴者が利用できるテレビジョンチャンネルの数は、多くの場合、二桁を越えて拡大し三桁に近づいている。これは、ユーザがそれらの番号によってチャンネルを覚えることを特に困難にしている。ユーザは、チャンネルに割り当てた識別名（例えば、ＣＮＮ、ＮＢＣ、ＰＢＳなど）よりチャンネルに割り当てた番号を忘れることの方が多い。さらに、ユーザが移動中である、つまり通常の家庭におらず、所定のチャンネル、例えば、ＣＮＮを視聴したい場合、ＣＮＮは一般に異なる事業者によって異なるチャンネル番号に割り当てられているので、ユーザのチャンネル番号の記憶が役立たないことがある。さらに、チャンネル数の増大は、所望の特定の番組およびチャンネルを見つける際、既存の二次元グリッドベースのＥＰＧインタフェースの使用を面倒にしている。
【０００６】
初期のＶＣＲ（ビデオカセットレコーダ）はユーザに番組の時間シフトを可能にし、希望に応じていつでも番組を視聴可能にした。しかし、ＰＶＲ（個人用ビデオ録画機）の登場は番組のこの分離を非常に変化させ、さらにチャンネルパラダイムの価値を低下させた。この現象の直接的な結果として、任意の所定の時刻に視聴できる利用可能なコンテンツが拡大している。
【０００７】
さらに、視聴者にとってコンテンツ源のオプションが著しく増大している。家庭へのデータ送信の帯域幅が増大するにつれて、ＶＯＤ（ビデオオンデマンド）およびＩＰＴＶ（インターネットプロトコルＴＶ）などの新しいコンテンツ源が利用可能になっている。これはさらに、視聴者がアクセスできる利用可能なコンテンツを増大させている。
【０００８】
ユーザが、所望のチャンネルまたはコンテンツを素早く容易に見つけることに役立つことができるテレビジョン検索インタフェースの必要性が存在している。
【課題を解決するための手段】
【０００９】
この発明の一つ以上の実施例に従って、テレビジョンコンテンツ項目、およびテレビジョンチャンネルの組から、テレビジョン視聴者が所望のテレビジョンコンテンツ項目、またはテレビジョンチャンネルを識別するための方法およびシステムが提供される。非侵入型インタフェースは、テレビジョン表示装置上で視聴者に対して提供される。非侵入型インタフェースを用いるテレビジョン視聴者は、所望のテレビジョンコンテンツ項目、またはテレビジョンチャンネルの識別を指示する削減されたテキスト検索入力を入力する。削減されたテキスト検索入力は、所望のテレビジョンコンテンツ項目、またはテレビジョンチャンネルに関する記述子の一つ以上の文字を有する。テレビジョン視聴者が削減されたテキスト検索入力の各文字を入力する際、システムは検索入力に適合するテレビジョンコンテンツ項目、およびテレビジョンチャンネルの組から、テレビジョンコンテンツ項目、またはテレビジョンチャンネルのグループを動的に識別する。テレビジョンコンテンツ項目またはテレビジョンチャンネルのグループは、一つ以上の所定の基準に従って順序付けされる。システムは非侵入型インタフェース上で順序付けしたように、識別したグループの一つ以上のテレビジョンコンテンツ項目、またはテレビジョンチャンネルの識別を表示する。
【００１０】
これらの特徴および他の特徴は以降の詳細な説明から容易に明らかになり、そこでは発明の実施例は一例として示し説明されている。当然のことながら、この発明では他の実施例および異なる実施例が可能であり、そのいくつかの詳細は全て発明から逸脱することなく、全ての点で修正を行うことができる。従って、図面および説明は本来、例示的なものとして見なされ、限定的または制限的意味ではなく、この出願の範囲は請求項内に示されている。
【発明を実施するための最良の形態】
【００１１】
簡単にいうと以降でさらに詳しく説明するように、この発明の様々な実施例に従って所望のテレビジョンチャンネル、およびテレビジョンコンテンツ項目を識別する際、テレビジョン視聴者を補助するための方法およびシステムが提供される。テレビジョンコンテンツ項目は、テレビジョン番組、映画、音楽ビデオ、またはテレビジョン視聴者が選択可能な任意の他の識別可能なコンテンツを含むことができるが、それらには限定されない。テレビジョンコンテンツ項目の検索は、放送テレビジョン、ＶＯＤ、ＩＰＴＶ、およびＰＶＲ（ローカルおよびネットワーク）を含むが、それらには限定されない様々なコンテンツ源全体で行うことができる。
【００１２】
テレビジョン視聴者は、テレビジョン表示装置上に非侵入型インタフェースを提供される。非侵入型インタフェースは好ましくは、表示装置上の小さな空間のみを占有する。非侵入型インタフェースは好ましくは現在視聴しているコンテンツ項目上に重ね合わせられ、ユーザは別の検索を開始しながら、テレビジョン上で既存の番組を視聴できる。視聴者は非侵入型インタフェースを用いて、所望のテレビジョンコンテンツ項目、またはテレビジョンチャンネルの識別を指示する削減されたテキスト検索入力を入力できる。削減されたテキスト検索入力は、所望のテレビジョンコンテンツ項目、またはテレビジョンチャンネルに関する記述子の一つ以上の文字を有する。テレビジョン視聴者が削減されたテキスト検索入力の各文字を入力する際、検索システムは検索入力に適合する一つ以上のテレビジョンコンテンツ項目、またはテレビジョンチャンネルのグループを動的に識別する。検索結果は、非侵入型インタフェース上で視聴者に対して表示される。その結果は好ましくは、時間的関連性、人気および個人的嗜好などの所定の基準に基づいて順序付けされる。ユーザは検索結果全体を操作し、ユーザが所望のコンテンツ項目、またはチャンネルを見つけ選択した後、システムは選択したコンテンツを自動的に読み込み描画することも所定のチャンネルに合わせることもできる。視聴者が所望のコンテンツを簡単に入手できない場合、インタフェースは視聴用に利用可能な所望のコンテンツの関連の代替物を識別し提供できる。また、即時の視聴が不可能な場合、インタフェースは遅れた視聴用のコンテンツ固有の代替物を提供できる。インタフェースは視覚的合図を提供し、即時または遅れた視聴が可能であるかどうかを視聴者に通知することもできる。
【００１３】
図１は、この発明の一つ以上の実施例に従って、テレビジョンチャンネルおよびコンテンツの検索を行うために用いられる全体のシステム１００を概略的に示している。システムは、サーバファーム１０２、ネットワーク１０４、およびテレビジョン視聴者（つまり、テレビジョンユーザ）によって操作される複数のテレビジョンシステム１０６を有する。この発明の一つ以上の実施例に従って、サーバファーム１０２は検索クエリを処理し、検索データおよび関連の更新源となる。サーバファーム１０２は、利用可能なテレビジョンコンテンツ（例えば、ケーブルまたは衛星テレビジョン業者）の少なくとも一部の発信源であってもよく、それにリンクすることもできる。ネットワーク１０４は、サーバファーム１０２からテレビジョンへデータを送信するための配信フレームワークとして機能する。配信ネットワーク１０４は、有線接続、無線接続、またはそれらのある組み合わせであってもよい。可能なネットワークの例には、ケーブルテレビジョンネットワーク、衛星テレビジョンネットワーク、およびＩＰベースのテレビジョンネットワークが含まれる。ユーザは、配信ネットワーク１０４に接続したテレビジョンシステム１０６上でコンテンツを視聴できる。
【００１４】
各テレビジョンシステムは検索システムを有し、前記検索システムによってユーザは所望のテレビジョンコンテンツ、またはチャンネルを見つけることができる。検索システムはテキスト入力インタフェースを有し、前記テキスト入力インタフェースは好ましくはキーパッド１１０またはキーボードを備えたリモート制御機器１０８であり、それを介してユーザはテキストを入力できる。テキスト入力インタフェースは、テレビジョンユニット、セットトップボックス、またはテレビジョンに接続した他の機器上のキーパッドであってもよい。テキスト入力インタフェースは一般に限られた組のキーを備えたキーパッドを有し、前記キーには複数の文字および数字がオーバロードされている。一例として、一つのボタンに数字の「２」と文字「Ａ」、「Ｂ」、および「Ｃ」を対応付けることができる。テキスト入力最適化技術は、語彙、予測、およびＴ９、ｅＺｉＴｅｘｔ、ｉＴａｐおよびＬｅｔｔｅｒＷｉｓｅなどの統計的方式を含むが、それらには限定されない様々な既知の技術を用いて提供される。このようなテキスト入力最適化技術によって、ユーザはオーバロードされたキーを備えたキーバッド上で所望のテキストをより素早く容易に入力できる。
【００１５】
図２は、この発明の一つ以上の実施例に従って検索を行うための典型的な機器構成を示している。一構成では、テレビジョンシステム１０６は、表示装置２０２、プロセッサ２０４、揮発性メモリ２０６、テキスト入力インタフェース１０８、ネットワーク１０４を介したサーバファーム１０２へのリモート接続２０８、および永続ストレージ２１０を有する。
【００１６】
別の可能な機器構成では、テレビジョンシステム１０６は、ローカルの永続ストレージ２１０を有していなくてもよい。このような構成では、機器１０６はリモート接続２０８を用いて、サーバファーム１０２にクエリを提出しそこから結果を取得する。
【００１７】
別の典型的な構成では、テレビジョンシステム１０６は、リモート接続２０８を有していなくてもよい。この構成では、検索データベースは、ローカルの永続ストレージ２１０上に局所的に存在することができる。永続ストレージ２１０は、ＳＤ、ＳｍａｒｔＭｅｄｉａ（登録商標）、ＣｏｍｐａｃｔＦｌａｓｈなどの着脱可能なストレージ素子であってもよい。
【００１８】
検索用のリモート接続２０８と永続ストレージ２１０を備えたテレビジョンシステムの構成では、機器は関連データの更新検索用、または検索データベースがローカルのストレージ２１０とサーバ１０２上に分散されている場合用のリモート接続を有することができる。
【００１９】
この発明の一つ以上の実施例では、テレビジョンシステム１０６は、衛星への一方向リンクを備えたセットトップボックスを有することができる。この構成では、関連の更新を含む全ての検索はローカルの検索を行うために、衛星リンクを介して機器にダウンロードできる。関連の更新は、この一方向リンクを介して周期的に行うことができる。
【００２０】
図３は、この発明の一つ以上の実施例に従って非侵入型検索インタフェースを示している。テレビジョンシステム１０６は、画面上に現在再生中の番組またはあるコンテンツ３０２を備えた表示画面２０２を有する。ユーザは、表示画面２０２上で非侵入型検索インタフェース３０４を開始または起動できる。この発明の好ましい実施例では、テレビジョンの操作に用いられるリモート制御機器１０８は非侵入型インタフェース３０４を開始するためのショートカットキー３０６を有する。非侵入型インタフェース３０４は、画面上で再生中のテレビジョンコンテンツ３０２の上に重ね合わせられる。それは画面の領域のある部分（好ましくは小さな領域だけ）を占有するので、視聴者はなお画面上で再生中の番組を視聴できる。視聴者が他のコンテンツまたはチャンネルの検索を行いながら、テレビジョン表示装置上で現在再生中のコンテンツを少なくとも部分的に視聴し続けることができるという点で、このインタフェースは「非侵入型」と考えられる。
【００２１】
さらに、インタフェース３０４は好ましくは少なくとも部分的に透光性または半透明であり、インタフェースを重ね合わせた画面上でテレビジョンコンテンツを再生し、前記インタフェースを介して少なくとも部分的にテレビジョンコンテンツを視認可能にする。透光性または半透明画像は、α合成または同様の技術によって実現できる。非侵入型インタフェース５０２の別の例は図５に示されており、それはテレビジョンで再生中の画面上に重ね合わせた非侵入型透光性インタフェース５０２を備えたテレビジョン表示装置５０４の画面ショットである。様々な他の代替形態の非侵入型インタフェースも可能であり、ユーザは検索を開始しながら、例えば、再生中の番組上に重ね合わせたインタフェースを含むコンテンツの少なくとも一部を観察し続けることができ、前記インタフェース内に表示される文字は不透明、あるいは容易に視認可能である。非侵入型インタフェースの他の例は、画面の一部にコンテンツを表示しながら画面の他の部分に表示するインタフェースを含んでいる。
【００２２】
図３に示した非侵入型インタフェース３０４はテキスト入力フィールド３０８を有し、ユーザはリモート制御機器１０８のテキスト入力ボタン３１０を用いて検索用のテキストをテキスト入力フィールド３０８に入力できる。非侵入型インタフェース３０４はさらに結果ウィンドウ３１２を有し、検索結果を結果ウィンドウ３１２に表示する。図３の例に示したように、ユーザがテキスト入力フィールド３０８に一つの文字「Ｃ」を入力すると、検索結果はＴＶチャンネル「ＣＮＮ」と「ＣＮＢＣ」を有し、結果ウィンドウ３１２に表示する。一度に、所定の数の結果（図３の例では二つ）だけが表示される。ユーザは、リモート制御１０８上の垂直操作ボタン３１６を利用した垂直操作インタフェース３１４を用いてスクロールダウンし、結果ウィンドウに最初は表示されなかった追加の結果を見ることができる。
【００２３】
検索結果は結果ウィンドウ３１２内で好ましくは順序付けられ、視聴者がより興味を持つと思われるものを反映させる。順序付けを決定するために、異なる基準が用いられる。この発明の一つ以上の実施例によると、結果の順序付けは時間的関連性、人気および個人的嗜好の一つ、または二つ以上の組み合わせであり、それらは暗示的または明示的に決定することができる。時間的関連性は、視聴者がより興味を持ちそうなタイミングの番組を有利にするために用いることができる。例えば、ユーザがＮＢＡと入力した場合、システムは進行中のもの、または近い将来に始まることが予定されているものがリスト上でより高く列挙されるように、時間的関連性の順でゲームを列挙できる。人気の基準は、他より人気のある番組またはチャンネルを有利にするために用いることができる。個人的嗜好の基準は、ユーザ選択前にユーザが好ましいと示した番組またはチャンネルを有利にするために用いることができる。例えば、ユーザが頻繁に「ＣＮＢＣ」までスクロールダウンしそれを選択する場合、システムはそのうちＣＮＮなどの一般により人気のあるチャンネルより、結果のリスト内のより上にＣＮＢＣを配置するようになる。さらに、識別に依存しない時間ベースの使用パターン学習アルゴリズムを個別化と共に適用し、適切な状況で結果を順序付けするルールを適用できる。
【００２４】
図３の非侵入型インタフェースは、コンテンツの特定の発信源または特定の種類（例えば、テレビジョン、ＶＯＤ、ＰＶＲ、およびＩＰＴＶ）に従って結果をフィルタ処理するために、検索空間フィルタインタフェース３２０を選択的に有する。インタフェースは、コンテンツの発信源または種類に関連したタブ３２２の組を有する。ユーザは必要に応じてタブ３２２の一つを選択し、所望のコンテンツの特定の発信源または種類に検索結果を制限できる。リモート制御機器１０８上の水平操作ボタン３２４を用いて、水平タブを操作するセマンティクスはコンテンツ固有であり、同様に検索文字列によって決定される。
【００２５】
この発明の一つ以上の実施例に従って、必要に応じて非侵入型インタフェース３０４上に選択した番組またはチャンネルに関連した別の情報を表示できる。例えば、ＴＶタブを選択した場合、結果ウィンドウ内のチャンネルの一つを選択した後に水平に操作し、すぐに次の番組を表示できる。ユーザがキャストの一員（例えば、Ｔｏｍ  Ｃｒｕｉｓｅ）を検索した場合、視聴者は、例えば、そのキャストの一員を含む全ての利用可能な番組全体を操作するために水平操作を使用できる。
【００２６】
図４に示した例では、ユーザが文字列「ＳＥ」を入力した後、視認可能な結果ウィンドウに二つの結果を動的に表示する。第一のものは映画「ＳＥＶＥＮ」であり、それはＶＯＤ源であってもよく、第二のものはＴＶの連続ドラマの「ＳＥＩＮＦＥＬＤ」である。この発明の一つ以上の実施例によると、結果に隣接して視覚的合図を提供しコンテンツの利用可能性を示すことができる。この例では、Ｓｅｉｎｆｅｌｄの場合についてアイコン４０２（この特定の例で斜線付きの下向きの矢印）を提供し、その番組をすぐに放送できることを示す。それから、ユーザはその結果までスクロールした後、「録画」ボタン４０４（リモート制御機器上で通常利用可能）クリックするか、図４に示したように結果を選択することによって得られる「動作メニュー」４０６から録画動作を選択することによって、番組の録画を直接開始するための選択が与えられる。「動作メニュー」４０６はユーザにオプションを提供し、番組がいつ放送されるかをユーザに通知するための注意喚起を設定することもできる。さらに、ユーザは水平方向に操作し、任意のコンテンツ源から現在利用可能な等価なまたは同様のカテゴリの番組があるかどうかを調べることができる。
【００２７】
図６は、この発明の一つ以上の実施例に従って、テレビジョンコンテンツ用の検索プロセスを示している。ユーザはまず６０２で検索文字列の文字を入力する。それはユーザが所望のコンテンツまたはチャンネルの削減されたテキスト入力表現である。削減されたテキスト入力は、例えば、可変サイズの接頭辞または頭文字、または所望のクエリの他の略称（例えば、ＣＮＮを表すためのＣ、またはＢｒａｄ  Ｐｉｔｔを表すためのＢＰ、Ｂ  Ｐ、ＢＲ  Ｐ、Ｂ  ＰＩなど）であってもよい。結果は、その点までに入力された文字の累積部分列に対して好ましくは動的に読み込まれ、６０４でユーザインタフェースの表示ウィンドウ内に表示される。米国特許出願番号第６０／６６４，８７９号、発明の名称「削減されたテキスト入力を用いてテレビジョンコンテンツ用の検索を行うための方法およびシステム」、出願日２００５年、５月２４日は、この出願の譲受人に割り当てられ、全体として参照によってここに組み込まれる。その出願は、複数の文字の削減されたテキスト部分列の各文字がユーザによって入力される際、結果を動的に読み込む特定の技術を記述している。
【００２８】
上記のように、表示ウィンドウ内の結果の順序付けは好ましくは関連性関数に基づき、前記関連性関数は、例えば、時間的関連性および人気の領域固有の組み合わせであってもよい。ユーザによる所望の結果がステップ６０６で結果ウィンドウ内に表示された場合、ユーザは６０８で表示されたウィンドウ内の所望の結果までスクロールし所望の結果を選択できる。所望の結果が表示ウィンドウ内の第一入力であれば、好ましくはデフォルトで選択され表示ウィンドウをスクロールする必要はない。
【００２９】
所望の結果が６０６で表示ウィンドウ内にない場合、ユーザは６１０でコンテンツ源タブ３２２を用いて結果をフィルタ処理し結果を狭めるか、表示ウィンドウ内に最初は表示されていない結果のページをスクロールするか、またはその両方を行うかを決定できる。その場合、ユーザはステップ６１２で、フィルタ処理、スクロール、またはその両方を行うことができる。それから、ユーザはステップ６０６に戻り、所望の結果が表示ウィンドウ内にあるかどうかを決定できる。
【００３０】
ユーザが６１０で結果をフィルタ処理したり、結果のページをスクロールすることを選択しなかった場合、ステップ６０２で検索文字列に新しい文字を追加し続けて別の検索結果を得ることができる。
【００３１】
入力される各文字に対する結果の動的更新によって、ユーザは全体のテキストを入力した後に適合する結果がないことを発見するのに比べて、結果を素早く得ることができる。いったんユーザが所望の結果を見つければ、それは６１４で選択して選択に適切な動作を開始できる。例えば、ある動作はそのチャンネルから選択したチャンネルに変更することであってもよく、別の動作は後で視聴するために番組を録画することであってもよい。
【００３２】
図７は、削減されたテキスト入力によって結果に到達するための可能な状態遷移を示している。所望の結果に到達するための一般に最小の経路は、ユーザが７０２で所望の番組またはチャンネルを識別する一つ以上の文字を入力し、視認可能な表示ウィンドウ内で結果を獲得し、所望の結果が既に強調表示されているときに生じる。ユーザは７０４で結果を選択し、７０６で所望のコンテンツに合わせるだけでよい。この経路は、チャンネル選択の元の単純なインタフェース（ユーザがチャンネル番号を入力し、そのチャンネルに切り替える場合）に選択動作を追加したものと同様である。この発明の様々な実施例によると、ユーザは元のインタフェースの単純で容易な使用に比べて、ずっと大きな空間からコンテンツを選択できる。
【００３３】
結果が第一選択ではないか、または結果ウィンドウ内に視認できない場合、ユーザは７０８で結果をスクロールするか、または７１０でフィルタを適用して結果の空間を抜粋できる。この発明の一つ以上の実施例によると、インタフェースは所定の検索入力に対する結果の数を表示する。これは、結果の空間が大きい場合にフィルタを用いるために、ユーザに視覚的合図を与えることができる。フィルタは、デフォルトでは個別化の結果として選択できる。
【００３４】
図８は、ユーザが作成した検索結果の選択に応じた動作の実行に含まれるステップを示している。いったんユーザが８０２で結果ウィンドウ内の結果を選択すると、ユーザは選択したコンテンツを視聴するために現在利用可能であるかどうかを８０４で決定する。利用可能であれば、状況固有の選択の組を８０６で視聴者に表示してコンテンツを再生する。現在放送中のチャンネル選択またはテレビジョン番組の場合、動作は直接チャンネルを合わせることであってもよい。代わりに、すぐに利用可能なコンテンツに対して、ＶＯＤ、ＩＰＴＶ、またはＰＶＲコンテンツの取り出しを開始し、取り出したコンテンツを描画する。コンテンツが利用可能でない場合、システムは８０８で密接に関連し、すぐに利用可能なコンテンツについての別の選択を提供できる。コンテンツが近い将来ＴＶ上で利用可能な場合、ユーザにはコンテンツの録画を開始するためのオプションが提供される（さらに、現在利用可能であっても、ユーザはコンテンツの録画を希望することもある。これによって視聴者はそのコンテンツを録画し、例えば、ある別の番組を現在視聴できる）。コンテンツが現在利用可能でないか、または近い将来も利用可能でない場合、例えば、ＤＶＤ上などの（ＤＶＤ上で利用可能であれば）別の形態でコンテンツを入手するオプションをユーザに与えることもできる。この点では、システムは、例えば、Ａｍａｚｏｎ．ｃｏｍなどの小売業者や、Ｎｅｔｆｌｉｘ．ｃｏｍなどのＤＶＤレンタル会社に自動的に注文を行うことができる。当然のことながら、近い満足感および遅れた満足感のための様々なコンテンツ固有の選択は相互に排他的ではない。例えば、ユーザは番組を録画することと、その番組のＤＶＤを注文することをどちらも選択できる。
【００３５】
ユーザが所望のコンテンツを見つけることができない場合、コンテンツに対してより詳しい検索を行うために、全画面検索に移行する選択が与えられる。
【００３６】
この発明の様々な実施例に従って、ユーザ入力からコンテンツを識別する方法は好ましくはソフトウェア内に実装され、従って、好ましい実装の一つはコードモジュール内の命令の組（プログラムコード）として、コンピュータのランダムアクセスメモリ内に存在する。コンピュータによって必要とされるまで、命令の組は別のコンピュータのメモリ内、例えば、ハードディスクドライブ内、または光ディスク（最終的にはＣＤ−ＲＯＭ内で使用するため）またはフロッピー（登録商標）ディスク（最終的にはフロッピー（登録商標）ディスクドライブ内で使用するため）などの着脱可能なメモリ内などに格納することも、インターネットまたはいくつかの他のコンピュータネットワークを介してダウンロードすることもできる。さらに、説明した様々な方法はソフトウェアによって選択的に起動または再構成される汎用コンピュータ内に容易に実装されるが、さらに当業者には明らかなように、このような方法はハードウェア内、ファームウェア内、または所定の方法のステップを行うように構成したより特殊な装置内で実行することもできる。
【００３７】
この発明の好ましい実施例を説明してきたが、当然のことながら、発明の精神および範囲から逸脱することなく修正を行うことができる。
【００３８】
文字によって番号付けられ、または指定されたステップを有する以降で述べる方法の請求項は、ステップを列挙する特定の順序に必ず限定されると考えるべきではない。
【図面の簡単な説明】
【００３９】
この発明の様々な実施例をより完全に理解するために、ここで添付の図面と共に以降の説明を参照する。
【図１】この発明の一つ以上の実施例に従って、テレビジョンコンテンツ、およびチャンネル検索システムを示す図である。
【図２】この発明の一つ以上の実施例に従って、検索を行うための機器の様々な可能な機器構成オプションを示す図である。
【図３】典型的なユーザテキスト入力を備えた発明の一つ以上の実施例に従って、コンテンツ、およびチャンネル検索用の非侵入型インタフェースの一例を示す図である。
【図４】異なる典型的なユーザテキスト入力を備えた図３の非侵入型インタフェースを示す図である。
【図５】この発明の一つ以上の実施例に従って、別の例の非侵入型インタフェースの画面ショットを示す図である。
【図６】この発明の一つ以上の実施例に従って、検索を行うユーザのプロセスを示す流れ図である。
【図７】この発明の一つ以上の実施例に従って、所望の結果を得るためにユーザが遷移可能な様々な状態を示す図である。
【図８】この発明の一つ以上の実施例に従って、所定のコンテンツリンク上で行われるコンテンツ固有の動作を選択するユーザのプロセスを示す流れ図である。  同様の参照番号は、図面では同様の構成要素を一般に指している。
【図１】
2008520121.tif 000003
【図２】
2008520121.tif 000004
【図３】
2008520121.tif 000005
【図４】
2008520121.tif 000006
【図５】
2008520121.tif 000007
【図６】
2008520121.tif 000008
【図７】
2008520121.tif 000009
【図８】
2008520121.tif 000010
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
テレビジョンコンテンツ項目の比較的大きな検索空間から、表示装置上に提示されるテレビジョンコンテンツ項目を非侵入的に選択するか、またはテレビジョンコンテンツ項目に関連した動作を選択する方法であって、テレビジョンコンテンツ項目の情報コンテンツを記述する記述的用語にテレビジョンコンテンツ項目を関連付け、
ユーザによって入力された逐次的テキスト入力を受け取り、前記逐次的テキスト入力がテレビジョンコンテンツ項目の比較的大きな検索空間内から、所望のテレビジョンコンテンツ項目を逐次的に識別するコンテンツシステムと、
テレビジョンコンテンツ項目のユーザ選択、または関連の動作を監視するコンテンツシステムと、
ユーザ選択または関連の動作の監視からユーザの嗜好を学習するコンテンツシステムと、
ユーザによって入力された逐次的テキスト入力と、テレビジョンコンテンツ項目に関連付けた記述的用語の比較に基づいて、テレビジョンコンテンツ項目、または関連の動作の組を選択するコンテンツシステムを有し、
関連性関数を用いて選択したテレビジョンコンテンツ項目、または関連の動作の組を順序付けし、比較的少数の非常に関連のあるテレビジョンコンテンツ項目を識別可能にし、前記関連性関数がテレビジョンコンテンツ項目を利用可能な既知の時間と時刻を比較する時間的関連性と、テレビジョンコンテンツ項目の一般的な人気率を指定する人気関連性と、ユーザの前記学習した嗜好の少なくとも一つを有し、
表示装置の一部上に順序付けした結果を提示しながら、同時に表示装置上にテレビジョンコンテンツを表示し、表示装置の前記一部が表示装置の領域の比較的小さな部分を占有し、比較的少数の非常に関連のあるテレビジョンコンテンツ項目を非侵入的に表示しながら同時にテレビジョンコンテンツを表示可能にする方法。
【請求項２】
さらにユーザから順序付けした結果の一つの選択動作を受け取ることを有する請求項１記載の方法。
【請求項３】
さらに、選択動作を行うコンテンツシステムを有し、前記選択動作がテレビジョンチャンネルを合わせること、または選択したテレビジョンコンテンツ項目をテレビジョンコンテンツ源から読み込むことを有する請求項２記載の方法。
【請求項４】
テレビジョンコンテンツ源が、ビデオオンデマンドシステム、ＩＰＴＶシステム、または個人用ビデオ録画機を有する請求項３記載の方法。
【請求項５】
さらに、動作を行うコンテンツシステムを有し、前記動作が、選択したコンテンツ項目を録画すること、選択したコンテンツ項目がいつ放送されるかをユーザに注意喚起すること、関連のテレビジョンコンテンツ項目を見つけること、または選択したコンテンツ項目をコンテンツ源から読み込むことを有する請求項２記載の方法。
【請求項６】
さらに、ユーザからテレビジョンコンテンツ項目の順序付けした組の一つの選択を受け取り、選択したコンテンツ項目を自動的に取り出し描画するコンテンツシステムを有する請求項１記載の方法。
【請求項７】
さらに、ユーザが所望のコンテンツ項目を見つけることができないとき、別のコンテンツ項目を選択してユーザに提供することを有する請求項１記載の方法。
【請求項８】
さらに、表示装置の前記部分上に視覚的合図を表示し、即時の視聴および遅れた視聴用のコンテンツの利用可能性を視聴者に通知する請求項１記載の方法。
【請求項９】
表示装置上で現在再生中のテレビジョンコンテンツ上に表示装置の前記部分を重ね合わせる請求項１記載の方法。
【請求項１０】
表示装置の前記部分がその透光性の部分を少なくとも有し、表示装置の前記部分の透光性の部分を介してユーザに、表示装置上で現在再生中の前記テレビジョンコンテンツを少なくとも部分的に視認可能にする請求項９記載の方法。
【請求項１１】
表示装置の前記部分が、逐次的テキスト入力の入力用フィールドと、選択したテレビジョンコンテンツ項目、または関連の動作の所定の数の組を表示するためのウィンドウを有する請求項１記載の方法。
【請求項１２】
さらに、テレビジョンコンテンツ項目の発信源またはカテゴリに従って、選択したテレビジョンコンテンツ項目の組をフィルタ処理し、表示装置の前記部分内でフィルタ処理したテレビジョンコンテンツ項目を表示することを有する請求項１記載の方法。
【請求項１３】
さらに、表示装置の前記部分を介して、選択したテレビジョンコンテンツ項目、または関連の動作に関する情報をユーザに提供することを有する請求項１記載の方法。
【請求項１４】
テレビジョン受像機内に含まれるか、またはそれに隣接する機器内に実装した請求項１記載の方法。
【請求項１５】
テレビジョン受像機内に含まれるか、それに隣接する機器と通信し、ユーザから離れたサーバシステムによってテレビジョンコンテンツ項目または関連の動作の組の選択を行う請求項１記載の方法。
【請求項１６】
さらに、前記視聴者が指示したとき、追加のコンテンツ項目、または関連の動作の識別を表示することによって、ユーザが選択した組の追加のテレビジョンコンテンツ項目、またはテレビジョンチャンネルをスクロール可能にすることを有する請求項１記載の方法。
【請求項１７】
ユーザが、二つ以上の文字をオーバロードしたキーを備えたリモート制御機器上で逐次的テキスト入力を入力する請求項１記載の方法。
【請求項１８】
テレビジョンコンテンツ項目の比較的大きな検索空間から、表示装置上に提示されるテレビジョンコンテンツ項目を非侵入的に選択するか、またはテレビジョンコンテンツ項目に関連した動作を選択するためのシステムであって、
テレビジョンコンテンツ項目の情報コンテンツを記述する記述的用語に関連付けたテレビジョンコンテンツ項目の比較的大きな検索空間のカタログと、
ユーザによって入力された逐次的テキスト入力を受け取り、前記逐次的テキスト入力がテレビジョンコンテンツ項目の比較的大きな検索空間のカタログ内から、所望のテレビジョンコンテンツ項目を逐次的に識別する受け取りロジックと、
テレビジョンコンテンツ項目のユーザ選択、または関連の動作を監視するための監視ロジックと、
ユーザ選択、または関連の動作の監視からユーザの嗜好を学習するための学習ロジックと、
ユーザによって入力された逐次的テキスト入力と、テレビジョンコンテンツ項目と関連付けた記述的用語の比較に基づいて、テレビジョンコンテンツ項目、または関連の動作結果の組を選択するための選択ロジックと、
関連性関数を用いて、選択したテレビジョンコンテンツ項目、または関連の動作の組を順序付けし、比較的少数の非常に関連のあるテレビジョンコンテンツ項目を識別可能にし、前記関連性関数がテレビジョンコンテンツ項目を利用可能な既知の時間と時刻を比較する時間的関連性と、テレビジョンコンテンツ項目の一般的な人気率を指定する人気関連性と、ユーザの前記学習した嗜好の少なくとも一つを有する順序付けロジックと、
表示装置の一部上に順序付けした結果を提示しながら、同時に表示装置上にテレビジョンコンテンツを表示し、表示装置の前記一部が表示装置の領域の比較的小さな部分を占有し、比較的少数の非常に関連のあるテレビジョンコンテンツ項目を非侵入的に表示しながら、同時にテレビジョンコンテンツを表示可能にする提示ロジックを有するシステム。
【請求項１９】
さらに、表示装置の前記部分に表示される順序付けした結果の一つの選択動作をユーザから受け取るための動作受け取りロジックを有する請求項１８記載のシステム。
【請求項２０】
表示装置が選択動作を行い、さらに前記選択動作がテレビジョンチャンネルを合わせること、または選択したテレビジョンコンテンツ項目をコンテンツ源から読み込むことを有する請求項１９記載のシステム。
【請求項２１】
コンテンツ源が、ビデオオンデマンドシステム、ＩＰＴＶシステム、または個人用ビデオ録画機を有する請求項２０記載のシステム。
【請求項２２】
表示装置が選択動作を行い、前記選択動作が、選択したコンテンツ項目を録画すること、選択したコンテンツ項目がいつ放送されるかをユーザに注意喚起すること、関連のテレビジョンコンテンツ項目を見つけること、または選択したコンテンツ項目をコンテンツ源から読み込むことを有する請求項１９記載のシステム。
【請求項２３】
表示装置がユーザからテレビジョンコンテンツ項目の順序付けした組の一つの選択を受け取り、選択したコンテンツ項目を自動的に取り出し描画するか、または選択したテレビジョンチャンネルに合わせる請求項１８記載のシステム。
【請求項２４】
さらに、ユーザが所望のコンテンツ項目を見つけることができないとき、別のコンテンツ項目を選択し、ユーザに提供するためのロジックを有する請求項１８記載のシステム。
【請求項２５】
表示装置が、表示装置の前記部分上に視覚的合図を表示し、即時の視聴および遅れた視聴用のテレビジョンコンテンツの利用可能性を視聴者に通知する請求項１８記載のシステム。
【請求項２６】
表示装置上で現在再生中のテレビジョンコンテンツ上に、表示装置の前記部分を重ね合わせる請求項１８記載のシステム。
【請求項２７】
表示装置の前記部分がその透光性の部分を少なくとも有し、表示装置の前記部分を介してユーザに、表示装置上で現在再生中の前記テレビジョンコンテンツを少なくとも部分的に視認可能にする請求項２６記載のシステム。
【請求項２８】
表示装置の前記部分が、逐次的テキスト入力の入力用フィールドと、選択したテレビジョンコンテンツ項目、または関連の動作の所定の数の組を表示するためのウィンドウを有する請求項１８記載のシステム。
【請求項２９】
さらに、テレビジョンコンテンツ項目の発信源またはカテゴリに従って、選択したテレビジョンコンテンツ項目の組をフィルタ処理し、表示装置の前記部分内でフィルタ処理したテレビジョンコンテンツ項目を表示することを有する請求項１８記載のシステム。
【請求項３０】
表示装置がさらに表示装置の前記部分を介して、選択したテレビジョンコンテンツ項目、または関連の動作に関する情報をユーザに提供する請求項１８記載のシステム。
【請求項３１】
表示装置がテレビジョン受像機内に含まれるか、またはそれに隣接する請求項１８記載のシステム。
【請求項３２】
ネットワーク上で表示装置と通信し、ユーザから離れたサーバシステム上で、受け取りロジック、監視ロジック、学習ロジック、選択ロジック、順序付けロジック、および提示ロジックを実行する請求項１８記載のシステム。
【請求項３３】
さらに、表示装置上に表示ロジックを有し、ユーザが指示したとき追加のコンテンツ項目、または関連の動作の識別を表示することによって、選択した組の追加のテレビジョンコンテンツ項目、またはテレビジョンチャンネルをスクロール可能にする請求項１８記載のシステム。
【請求項３４】
ユーザが、二つ以上の文字をオーバロードしたキーを備えたリモート制御機器上で、逐次的テキスト入力を入力する請求項１８記載のシステム。
【国際調査報告】
2008520121.tif 000011